(57)【要約】【課題】ボビンの回り止めができるとともにラインフィルタの高さを低くしてコスト低減ができるラインフィルタを提供する。【解決手段】  巻軸方向に貫通孔１２を有し複数の鍔を有するボビン１３と、前記ボビン１３に巻回する第一巻線１０および第二の巻線１１と、前記ボビン１３の貫通孔１２に一磁脚１４Ａを挿入する閉磁路磁芯１４と、前記ボビン１３と前記閉磁路磁芯１４を載置するとともに前記巻線の端末が接続される端子１６を設けた端子台１５と、を備え、前記端子台１５は、前記閉磁路磁芯１４の他磁脚１４Ｂと前記ボビン１３の外周の隙間部１７に挿入される板状部２１を設け、前記板状部２１は、前記ボビン１３の鍔間に形成された溝部２４と係合して前記ボビン１３の回転を防止する係合部２５と、前記ボビン１３の位置を固定する位置決め部２３を設けた。【選択図】  図１
2010109727.tif 000002
【特許請求の範囲】
【請求項１】
巻軸方向に貫通孔を有し複数の鍔を有するボビンと、
前記ボビンに巻回する第一および第二の巻線と、
前記ボビンの貫通孔に一磁脚を挿入する閉磁路磁芯と、
前記ボビンと前記閉磁路磁芯を載置するとともに前記巻線の端末が接続される端子を設けた端子台と、を備え、
前記端子台は、前記閉磁路磁芯の他磁脚と前記ボビンの外周の隙間部に挿入される板状部を設け、
前記板状部は、前記ボビンの鍔間に形成された溝部に係合して前記ボビンの回転を防止する係合部と、前記ボビンの位置を固定する位置決め部を設けた、
ことを特徴とするラインフィルタ。
【請求項２】
前記係合部は前記板状部の略中央にある先端から後端まで連続する突部であり、
前記鍔間の溝部には前記突部の上面部と対向する平面部を設け、
前記突部が前記溝部内に係合される、
ことを特徴とする請求項１に記載のラインフィルタ
【発明の詳細な説明】
【技術分野】
【０００１】
本発明は、各種電子機器等に使用するラインフィルタに関する。
【背景技術】
【０００２】
従来、第一の巻線および第二の巻線を巻回するとともに、巻軸方向に貫通孔を有したボビンと、ボビンの貫通孔に挿入した閉磁路磁芯と、ボビンおよび閉磁路磁芯を組み付ける端子台と、端子台に植設され第一の巻線および第二の巻線を接続する端子と、を備えているラインフィルタが特許文献１に記載されている。
【０００３】
このようなラインフィルタの組立ては、閉磁路磁芯の一磁脚に２個の分割型ボビンを組合せ装着し、ボビン側面に設けた歯車を回転させることにより一磁脚を中心にボビンを回転させ巻線を巻回している。巻回後、巻線付ボビンおよび閉磁路磁芯を端子台に組み付け、巻線の始端および終端をたわみがないように端子に絡げ、その後、巻線端末を半田付けし、巻線付ボビンと閉磁路磁芯と端子台とを接着剤を塗布して固定している。
【０００４】
また、特許文献２には、端子台は、開口部を有した枠部と、端子ピンを植設した端子板部とを有するとともに、枠部を端子台部の端部に配置して側面形状を略Ｌ字形状としており、閉磁路磁芯を端子台の枠部の外周部に接触させるとともに、ボビンの一部を枠部の開口部内に挿入させ巻線付のボビンおよび閉磁路磁芯を位置決めするラインフィルタが開示されている。
【特許文献１】特開平１−１３４９０９号公報
【特許文献２】特許第３０６３７４８号公報
【発明の開示】
【発明が解決しようとする課題】
【０００５】
しかしながら、特許文献１において巻線の巻回後、巻線付ボビンおよび閉磁路磁芯を端子台に組み付け、巻線の始端および終端を端子に絡げるが、ボビンは閉磁路磁芯の一磁脚を中心に回転できるため巻線の終端がほどけてたわんでしまい、終端を巻線の外周面の一部に接着剤により仮止めする必要があった。
この巻線の終端を接着剤で仮止めする作業は、その後に、巻線の端末を半田付けするため、２度手間となり、多くの時間を要し作業効率を低下させていた。
【０００６】
この特許文献１の記載の問題点を解決したものとして、特許文献２のラインフィルタがある。このラインフィルタは、ボビンの回り止めを設けて巻線終端を接着剤で仮止めすることなく巻線端末を半田付けできる。
しかしながら、ボビンの一部を挿入する端子台の枠部がボビン外周上方に設けられているため、端子台は上方に高くなりラインフィルタが高背化するとともに端子台を構成する枠部の成形樹脂がかさみコストがかさんでいた。
【０００７】
そこで本発明は、ボビンの回り止めができるとともにラインフィルタの高さを低くしてコスト低減ができるラインフィルタを提供することを目的とする。
【課題を解決するための手段】
【０００８】
上記の目的を達成すべく成された本発明は、巻軸方向に貫通孔を有し複数の鍔を有するボビンと、前記ボビンに巻回する第一および第二の巻線と、前記ボビンの貫通孔に一磁脚を挿入する閉磁路磁芯と、前記ボビンと前記閉磁路磁芯を載置するとともに前記巻線の端末が接続される端子を設けた端子台と、を備え、前記端子台は、前記閉磁路磁芯の他磁脚と前記ボビンの外周の隙間部に挿入される板状部を設け、前記板状部は、前記ボビンの鍔間に形成された溝部に係合して前記ボビンの回転を防止する係合部と、前記ボビンの位置を固定する位置決め部を設けたことを特徴とするものである。
【０００９】
本発明のラインフィルタでは、前記係合部は前記板状部の略中央にある先端から後端まで連続する突部であり、前記鍔間の溝部には前記突部の上面部と対向する平面部を設け、前記突部が前記溝部内に係合されることが好ましい。
【発明の効果】
【００１０】
本発明によれば、ボビンの鍔間に形成された溝部に係合してボビンの回転を防止する係合部を板状部に設けたため、巻線付のボビンと閉磁路磁芯の隙間部に板状部を挿入して端子台に組み込むと、溝部と係合部が係合しボビンが閉磁路磁芯の一磁脚を中心に回転できなくなるため、巻線の始端および終端をたわみがないよう端子に絡げることができ、巻線の終端を仮止めすることなく端末の半田固定ができ作業時間の短縮と効率化ができる。
【００１１】
また、板状部には係合部と位置決め部を有するため、巻線付のボビンが板状部に単に載っているだけで、ボビンの位置決めができるとともにボビンの回り止めができ、ボビン外周に開口部を有する枠部を設けずにボビンを固定できるため、ラインフィルタを低背化できるとともに端子台を構成する成形樹脂を少なくできコスト低減ができる。
【発明を実施するための最良の形態】
【００１２】
以下、図面に基づいて本発明の実施の形態を例示的に説明する。但し、この実施の形態に記載されている構成部品の材質、形状、その相対配置などは、特に特定的な記載がない限りはこの発明の範囲をそれのみに限定する趣旨ではない。
【００１３】
図１は、本発明の一実施形態にかかるラインフィルタの組立前の斜視図を示し、図２は、本実施形態の完成図の正面図および断面図および側面図を示し、図３は、本実施形態の組立途中のボビンと閉磁路磁芯の正面図および断面図および側面図を示し、図４は、本実施形態の端子台の正面図および断面図および側面図を示す。
【００１４】
図１ないし図４におけるラインフィルタは、第一の巻線１０および第二の巻線１１を巻回するとともに貫通孔１２を有するボビン１３と、ボビン１３の貫通孔１２に挿入した閉磁路磁芯１４と、ボビン１３および閉磁路磁芯１４を装着する端子台１５と、端子台１５に植設するとともに第一の巻線１０および第二の巻線１１の端末を接続する端子１６と、を備えている。
【００１５】
ボビン１３は、閉磁路磁芯１４の一磁脚１４Ａに２つの分割型ボビン１３Ａを組み合わせて装着して略円筒状を形成し、ボビン１３の外周面には複数の略同一円形の鍔を設け、ボビン１３は一磁脚１４Ａを中心に回転自在となっている。また閉磁路磁芯１４はロの字型形状であって、一磁脚１４Ａに装着されたボビン１３の鍔の外周と閉磁路磁芯１４の他磁脚１４Ｂの間に隙間部１７を有する。
【００１６】
ボビン１３の巻軸方向の外周面略中央には第一の巻線１０および第二の巻線１１を分割する２つの中央鍔１８が設けられ、中央鍔１８間には平面部１９を有する溝部２４が形成され、中央鍔１８間のボビン１３断面外形は略四角形状となっている。この面部１９は後述する端子台１５の板状部２１に設けた突部の上面部２６に対向し、この平面部１９は、中央鍔１８間のボビン１３の図３の断面形状における、鍔の外周の一部であるＰ、Ｑと弦Ｐ、Ｑに対応する弦に相当している。
【００１７】
ボビン１３の巻軸方向の端部には歯車１３Ｂを設けた外鍔１８Ａを設け、ボビン１３は一磁脚１４Ａを中心に回転自在であり、ボビン１３の歯車１３Ｂに外部より回転駆動伝達用歯車を噛み合わせるとボビン１３は回転して巻線を巻回され、この巻線はボビン１３の鍔の外周からみださないようにしている。
【００１８】
端子台１５は、樹脂で成形された略四角形状の台座２０と、台座２０の上方に一体成形されるとともに台座２０と略平行に配置されボビンの回り止めの係合部２５とボビンの位置を固定する位置決め部２３を有する板状部２１と、台座２０と板状部２１をつなげる支柱２２と、台座２０の下方に植設され第一の巻線１０および第二の巻線１１を接続する端子１６を備えている。
【００１９】
そして巻線付のボビン１３の外周と閉磁路磁芯１４の他磁脚１４Ｂの隙間部１７に端子台１５の板状部２１を挿入すると、板状部２１には係合部２５および位置決め部２３があるため、単に巻線付のボビン１３が板状部２１に載るだけで、ボビン１３の回り止めができるとともにボビン１３の位置決めができ、開口部を有する枠部を端子台に設けずにすむ。
【００２０】
また端子台１５は台座２０と板状部２１と支柱２２によって形成された断面コ形状であり、コ形状部には空間部２７を有し横方向に開口され、巻線付のボビン１３と閉磁路磁芯１４を端子台１５に組み込んだとき閉磁路磁芯１４の他磁脚１４Ｂが空間部２７に挿入され閉磁路磁芯１４が縦方向に固定される。
【００２１】
端子台１５の板状部２１は、巻線付のボビン１３と閉磁路磁芯１４の隙間部１７に挿入して突出して配置され、ボビン１３に巻回された巻線と閉磁路磁芯１４を絶縁する。板状部２１の厚みＬ１は、ボビン１３の外周と閉磁路磁芯１４の他磁脚１４Ｂの隙間部１７の幅Ｌ２とほぼ同じとしている。
【００２２】
板状部２１の中央には、ボビン１３の中央鍔１８間に形成された溝部２４に係合してボビン１３の回転を防止する係合部２５を設けている。この係合部２５は、巻線付のボビン１３と閉磁路磁芯１４の隙間部１７に挿入する方向に平行であるとともに板状部２１の先端２１Ａから後端２１Ｂまで連続する断面が突部の形状を有し、突部の上面部２６は平面となっている。また板状部２１及び係合部２５の先端２１Ａは傾斜部を設けて間隙部１７に挿入しやすくしてもよい。
【００２３】
この突部の幅Ｌ３はボビン１３の溝部２４の幅Ｌ４とほぼ同じに形成されるとともに、板状部２１の上面から突部の上面部２６までの高さＬ５は、ボビン１３の鍔１３Ｂの外周からボビン１３の溝部２４の平面部１９までの長さＬ６とほぼ同じにしている。
【００２４】
また板状部２１の両端には、巻線付のボビン１３と閉磁路磁芯１４を端子台１５に組み込んだときに、ボビン１３の外鍔１８Ａの外周が対向する位置決め部２３を設けている。
【００２５】
そして巻線付のボビン１３と閉磁路磁芯１４の隙間部１７に板状部２１を挿入して端子台１５に組み込むと、板状部２１の突部の上面部２６がボビン１３の溝部２４内の平面部１９と対向して係合するとともにスライドできるようになっている。組み込み後の板状部２１の突部の長さＬ７は、ボビン１３の中央鍔１８間の組み込み方向の平面部１９の長さＬ８より長く形成している。
【００２６】
このような構成のラインフィルタについて、以下にその組立て方を説明する。
【００２７】
閉磁路磁芯１４の一磁脚１４Ａに分割型ボビン１３Ａを組合せ装着し、ボビン１３側面に設けた歯車１３Ｂを回転させることにより一磁脚１４Ａを中心にボビン１３を回転させて第一の巻線１０および第二の巻線１１をボビン１３に巻回する。
【００２８】
巻線を巻回後、巻線付のボビン１３と閉磁路磁芯１４の隙間部１７に端子台１５の板状部２１を挿入するとともに、端子台１５のコ形状の空間部２７に閉磁路磁芯１４の他磁脚１４Ｂを挿入する。
【００２９】
すると板状部２１の突部の上面部２６がボビン１３の鍔間にある溝部２４の平面部１９に対向して係合するため、ボビン１３は閉磁路磁芯１４の一磁脚１４Ａを中心に回転できなくなる。
【００３０】
そして端子台１５の板状部２１を巻線付のボビン１３と閉磁路磁芯１４の隙間部１７にさらに挿入していくとボビン１３の外鍔１８Ａが板状部２１の位置決め部２３と対向して巻線付のボビン１３と閉磁路磁芯１４は端子台１５に装着され、巻線の始端および終端をたわみがないよう端子１６に絡げることができる。その後、巻線端末を半田固定し、巻線付ボビン１３と閉磁路磁芯１４と端子台１５とを接着剤により固定する。
【００３１】
よってこの実施形態によれば、ボビン１３の中央鍔１８間に形成する溝部２４に係合してボビン１３の回転を防止する係合部２５を板状部２１に設けたため、板状部２１を巻線付のボビン１３と閉磁路磁芯１４の隙間部１７に挿入して組み込むと、板状部２１の突部の上面部２６がボビン１３の中央鍔１８間にある溝部２４の平面部１９に対向して係合するため、ボビン１３が閉磁路磁芯１４の一磁脚１４Ａを中心に回転することなくボビン１３の回転を防止でき巻線の始端および終端をたわみがないよう端子１６に絡げることができ、巻線終端を仮止めすることなく端末を半田固定でき作業の大幅な時間短縮と効率化ができる。
【００３２】
また、端子台１５は、閉磁路磁芯１４の他磁脚１４Ｂとボビンの外周の隙間部１７に挿入される板状部２１を設け、板状部２１は、ボビン１３の鍔間に形成された溝部２４に係合してボビン１３の回転を防止する係合部２５と、ボビン１３の位置を固定する位置決め部２３を設けたため、板状部２１を巻線付のボビン１３と閉磁路磁芯１４の隙間部１７に挿入すると、巻線付のボビン１３は板状部２１に単に載っているだけで、ボビンの回り止めができるとともにボビン１３の位置決めができ、ボビンを固定する開口部を有する枠部を端子台に設けずにすむため、ラインフィルタを低背化できるとともに端子台を構成する成形樹脂を少なくできるためコスト低減ができる。
【００３３】
また、係合部２５は板状部２１の略中央にある先端から後端まで連続する突部であり、ボビン１３の中央鍔１８間の溝部２４には板状部２１の突部の上面部２６と対向する平面部１９を設け、この突部が溝部２４内に係合されるため、巻線付のボビン１３と閉磁路磁芯１４の隙間部１７に板状部２１を少し挿入すれば、ボビン１３の回転を防止し、巻線付のボビン１３をガタつくことなく端子台１５に装着でき、組み立てを非常に容易にすることができる。
【図面の簡単な説明】
【００３４】
【図１】本発明の第一の実施形態にかかるラインフィルタの組立前の斜視図である。
【図２】本発明の第一の実施形態にかかるラインフィルタの完成斜視図である。
【図３】本発明の第一の実施形態の組立途中のボビンと閉磁路磁芯の正面図および断面図および側面図を示す。
【図４】本発明の第一の実施形態の端子台の正面図および断面図および側面図を示す。
【符号の説明】
【００３５】
１０          第一の巻線
１１          第二の巻線
１２          貫通孔
１３          ボビン
１３Ａ        分割型ボビン
１３Ｂ        歯車
１４          閉磁路磁芯
１４Ａ        一磁脚
１４Ｂ        他磁脚
１５          端子台
１６          端子
１７          隙間部
１８          中央鍔
１８Ａ        外鍔
１９          平面部
２０          台座
２１          板状部
２１Ａ        先端
２１Ｂ        後端
２２          支柱
２３          位置決め部
２４          溝部
２５          係合部
２６          上面部
２７          空間部
【図１】
2010109727.tif 000003
【図２】
2010109727.tif 000004
【図３】
2010109727.tif 000005
【図４】
2010109727.tif 000006